(57)【要約】【課題】作業性を損なうことなく冷却装置の冷却に関連する装置の動作を適切な間隔で行うことが可能な冷却庫を提供する。【解決手段】冷却庫１１は、蓄冷剤４７を収納可能な収納室１２と、蓄冷剤４７の冷却を行う冷却装置４５と、蓄冷剤４７の冷却に関連する動作を間隔を空けて行う除霜ヒータ２６と、除霜ヒータ２６が次に動作するまでの動作間隔として異なる複数の動作間隔Ｘ，Ｙ，Ｚを設定可能な操作パネル２７と、操作パネル２７に設定された複数の動作間隔Ｘ，Ｙ，Ｚで除霜ヒータ２６を複数回動作させる制御部３０と、を備える。【選択図】図７
2014202374.tif 000002
【特許請求の範囲】
【請求項１】
冷却対象物を収納可能な収納室と、
前記冷却対象物の冷却を行う冷却装置と、
前記冷却対象物の冷却に関連する動作を間隔を空けて行う冷却関連装置と、
前記冷却関連装置が次に動作するまでの動作間隔として異なる複数の前記動作間隔を設定可能な設定手段と、
前記設定手段に設定された前記複数の動作間隔で前記冷却関連装置を複数回動作させる制御手段と、を備える冷却庫。
【請求項２】
前記設定手段には、前記複数の動作間隔の順番が設定されており、
前記制御手段は、前記設定手段に設定されている順番で前記冷却関連装置を動作させるとともに、前記冷却庫が停止状態となった後、再始動したときには、前記設定手段に設定されている最初の順番の動作間隔から順番に前記冷却関連装置を動作させる請求項１に記載の冷却庫。
【請求項３】
前記制御手段を有する制御回路と、
前記冷却装置を停止させる時間を設定可能なタイマと、
電源から前記制御回路への通電を遮断する第１遮断部と、
前記第１遮断部により前記電源から前記制御回路への通電が遮断されると、前記電源から前記冷却装置への通電を遮断する第２遮断部と、を備える請求項１又は請求項２に記載の冷却庫。
【請求項４】
前記複数の動作間隔を組み合わせると２４時間となっている請求項１ないし請求項３のいずれか一項に記載の冷却庫。
【請求項５】
前記冷却関連装置は、前記冷却装置の霜取りを行う除霜ヒータである請求項１ないし請求項４のいずれか一項に記載の冷却庫。
【発明の詳細な説明】
【技術分野】
【０００１】
本発明は、冷却庫に関する。
【背景技術】
【０００２】
従来、食品等の要保冷物品の配送時の冷却、保冷には、凍結させた蓄冷剤が用いられている。このような蓄冷剤を凍結させるために用いられる冷却庫として、特許文献１に記載の蓄冷剤凍結庫が知られている。
この種の蓄冷剤凍結庫は、蓄冷剤を凍結させるために−２０℃〜−４０℃程度といった極低温に冷却する。
【０００３】
このような庫内温度を−４０℃程度といった極低温域まで下げるためには、冷却器を相応の低温状態に維持される必要があり、着霜が生じやすいと言える。そのため、特許文献１では霜取りヒータが装着されている。
【先行技術文献】
【特許文献】
【０００４】
【特許文献１】特開平１１−２６４６４５号公報
【発明の概要】
【発明が解決しようとする課題】
【０００５】
ところで、冷却装置の冷却に関連して動作する霜取りヒータ（除霜ヒータ）は、通常、設定した一定時間（一定間隔）ごとに行われる。
ここで、霜取りを確実に行うために霜取りまでの時間（一定時間）を短く設定すると、冷却不良になるおそれがある。
一方、通常運転時に霜取りが適切に行われる範囲で霜取りまでの時間を長い時間に設定すると、扉開閉が多いときや運転停止後の再開時等の着霜が生じやすい時間には、ユーザが手動で霜取り操作を行う場合必要があり、手間がかかるという問題があった。
【０００６】
本発明は上記のような事情に基づいて完成されたものであって、作業性を損なうことなく冷却装置の冷却に関連する装置の動作を適切な間隔で行うことが可能な冷却庫を提供することを目的とする。
【課題を解決するための手段】
【０００７】
本発明の冷却庫は、冷却対象物を収納可能な収納室と、前記冷却対象物の冷却を行う冷却装置と、前記冷却対象物の冷却に関連する動作を間隔を空けて行う冷却関連装置と、前記冷却関連装置が次に動作するまでの動作間隔として異なる複数の前記動作間隔を設定可能な設定手段と、前記設定手段に設定された前記複数の動作間隔で前記冷却関連装置を複数回動作させる制御手段と、を備える。
本構成によれば、冷却関連装置が動作する動作間隔を異なる複数の動作間隔で設定できるため、短い動作間隔のみで冷却関連装置を複数回動作させることによる冷却の不具合や、長い動作間隔のみで動作させ、手動による冷却関連装置の追加の操作によって作業性が損なわれることを防止できる。よって、作業性を損なうことなく冷却装置の冷却に関連する装置の動作を適切な間隔で行うことが可能となる。
【０００８】
上記構成の実施態様として以下の構成を有すれば好ましい。
・前記設定手段には、前記複数の動作間隔の順番が設定されており、前記制御手段は、前記設定手段に設定されている順番で前記冷却関連装置を動作させるとともに、前記冷却庫が停止状態となった後、再始動したときには、前記設定手段に設定されている最初の順番の動作間隔から順番に前記冷却関連装置を動作させる。
このようにすれば、冷却庫が停止状態となって再始動したときには動作間隔の誤差がリセットされるため、高精度の発振子を用いなくても、冷却関連装置の動作間隔の精度を高めることができる。
また、毎日の冷却対象物の配送時等に冷却庫が停止状態とされる場合に、冷却関連装置の動作時間の誤差をリセットすることができる。
【０００９】
・前記制御手段を有する制御回路と、前記冷却装置を停止させる時間を設定可能なタイマと、電源から前記制御回路への通電を遮断する第１遮断部と、前記第１遮断部により前記電源から前記制御回路への通電が遮断されると、前記電源から前記冷却装置への通電を遮断する第２遮断部と、を備える。
これにより、比較的電流値の小さい制御回路の通電を遮断すれば、冷却装置への通電を遮断することができるため、冷却装置の通電を遮断するために比較的大きい開閉器を用いなくてもよい。
【００１０】
・前記複数の動作間隔を組み合わせると２４時間となっている。
このようにすれば、決まった時間に冷却関連装置を動作させることが可能になる。
・前記冷却関連装置は、前記冷却装置の霜取りを行う除霜ヒータである。
【発明の効果】
【００１１】
本発明によれば、作業性を損なうことなく冷却装置の冷却に関連する装置の動作を適切な間隔で行うことが可能となる。
【図面の簡単な説明】
【００１２】
【図１】実施形態１の冷却庫を示す側断面図
【図２】機械室の内部を露出させた状態の冷却庫を示す斜視図
【図３】冷却庫の断熱扉を外した状態を示す正面図
【図４】操作パネルを拡大して示す図
【図５】冷却庫の電気的構成を概略的に示す図
【図６】制御部の入力側と出力側の電気的接続を示す図
【図７】異なる動作間隔で霜取りが行われることを示す図
【図８】異なる動作間隔で霜取りが行われることを示すフローチャート
【図９】実施形態２の異なる動作間隔で霜取りが行われることを示す図
【図１０】異なる動作間隔で霜取りが行われることを示すフローチャート
【図１１】実施形態３の異なる動作間隔で霜取りが行われることを示す図
【発明を実施するための形態】
【００１３】
＜実施形態１＞
以下、実施形態１を図１ないし図８を参照しつつ説明する。以下では、図１の左方を前方、右方を後方として説明する。
本実施形態は、本発明の冷却庫の一例として蓄冷剤４７（「冷却対象物」の一例）を冷却して凍結させるための蓄冷剤凍結庫に適用したものである。
冷却庫１１は、図１に示すように、蓄冷剤４７（図３参照）を収納可能な収納室１２と、収納室１２の上方に配され、蓄冷剤４７を冷却する冷却装置４５が収容される機械室３４とを備える。
【００１４】
収納室１２は、前面開口の縦長の断熱箱体からなり、その内部には、長方形の４隅の位置に４本の棚柱１３が取り付けられており、各棚柱１３には、上下方向に間隔を空けて棚受金１４が装着されている。
４本の棚柱１３の内側に４枚の棚網１５が上下方向に一定間隔を開けて棚受金１４に支持されており、各棚網１５の上方に、蓄冷剤４７を収納する収納スペースを形成している。
蓄冷剤４７は、コンテナ４８内において左右に間隔を空けて複数収容される。
【００１５】
蓄冷剤４７は、ポリエチレン等の合成樹脂製のハードケース内にゲル化剤が充填された公知のものであって、全体としては平面長方形の厚板形状をなしている。
収納室１２の前面開口部１７には上下２個の断熱扉４９が幅方向の一端側を軸として回動可能に支持されている。
【００１６】
前面開口部１７の周縁には、結露防止ヒータ３９（図５参照）が埋設されている。
収納室１２の上方における機械室３４の下方に連なる位置には、冷却器１８が収容される冷却器室１９が設けられている。
冷却器室１９は、冷却器１８と収納室１２を仕切るダクトパネル２０を有する。
ダクトパネル２０は、ステンレス鋼板等の金属板からなり、水平方向に対して傾斜した方向に延びて固定されており、吸込口を有するとともに、庫内ファン２１が設けられている。
【００１７】
機械室３４は、圧縮機２２と、凝縮器２３と、凝縮器ファン２４と、制御回路２９がケース２８Ａに収容された制御ボックス２８（図２参照）と、ケース３１Ａ内に複数のリレー３２，３７が収容されたリレーボックス３１とを備える。
圧縮機２２及び凝縮器２３と冷媒配管により冷却器１８が循環接続され、周知の冷凍サイクルが構成されている。
圧縮機２２、凝縮器２３、凝縮器ファン２４、冷却器１８、庫内ファン２１は、蓄冷剤４７の冷却を行う冷却装置４５とされる。
【００１８】
基本的な冷却運転は、冷却装置４５が駆動されることで行われ、吸込口を通して吸引された庫内空気が冷却器１８を通過する間に熱交換により冷気が生成され、この冷気が庫内ファン２１から収納室１２に吹き出されるといった循環流が生じ、蓄冷剤４７を冷却（凍結）される。本実施形態では、蓄冷剤４７を凍結するために、収納室１２内が−２０℃から−４０℃程度まで冷却される。
このように、庫内温度を−４０℃程度といった極低温域まで下げるためには、冷却器１８は相応の低温状態に維持される必要があり、着霜が生じやすいと言える。そのため適宜に霜取運転が行われ、冷却器１８のの下面に、シーズヒータからなる除霜ヒータ２６（図５参照）が装着されている。
制御ボックス２８のケース２８Ａは、正面側が樹脂で形成され、その後方が金属のカバーで覆われている。
機械室３４の前面を構成するフロントパネル３４Ａには、図３に示すように、操作パネル２７が設けられている。
操作パネル２７は、各種の設定を変更可能な設定ボタン４６と、設定された情報等を表示する表示部４０とを有する（図５参照）。
この操作パネル２７は、フロントパネル３４Ａの左右方向に長い角丸長方形状の孔３４Ｂ内に設けられている。操作パネル２７は、ケース２８Ａにおける正面側の樹脂部分が孔３４Ｂの内側に配されるとともに外側からラベルで覆われることで設定ボタン４６等を操作可能に構成される（なお、図２では、ケース２８Ａにおける正面の孔３４Ｂの内側に配される部分の図示は省略されている）。
【００１９】
機械室３４の前面には、図３に示すように、操作パネル２７が設けられている。
操作パネル２７（「設定手段」の一例）は、図４に示すように、各種の設定を変更可能な設定ボタン４６と、変更可能な設定が表示される設定表示ボタン５０と、設定された情報等を表示する表示部４０とを有する。
例えば、設定表示ボタン５０を押すことにより、後述する除霜ヒータ２６が動作するまでの各動作間隔が対応付けられる複数の間隔設定を順番に切り替えることができる。
また、設定ボタン４６を押すことで、表示部４０に表示された動作間隔を１時間単位で増減（変更）することができる。
設定ボタン４６及び設定表示ボタン５０で設定された複数の間隔設定及び複数の動作間隔の情報は、各間隔設定に複数の動作間隔のそれぞれが対応付けられて記憶部４４に記憶される。
なお、各動作間隔等の設定方法は、上記方法に限られず、種々の公知の方法が可能である。
【００２０】
本実施形態では、除霜ヒータ２６（「冷却関連装置」の一例）が次に動作するまでの動作間隔として３つの動作間隔Ｘ，Ｙ，Ｚをパラメータとして設定可能となっている。
具体的には、操作パネル２７の操作で設定され、間隔設定１〜３に対応付けて記憶されている動作間隔Ｘ，Ｙ，Ｚ（間隔設定１＝Ｘ時間，間隔設定２＝Ｙ時間，間隔設定３＝Ｚ時間）が、間隔設定１〜３の順番で除霜ヒータ２６が次に動作するまでの動作間隔とされる。
本実施形態では、例えば、Ｘ＝２時間，Ｙ＝８時間，Ｚ＝１２時間とされる。
これにより、運転開始後（始動後）は、Ｘ時間経過後に除霜ヒータ２６が作動して霜取りを行い、更に、Ｙ時間経過後に除霜ヒータ２６が作動して霜取りを行い、更に、Ｚ時間経過後に除霜ヒータ２６が作動して霜取りを行う。そして、再び間隔設定１に戻って同様の動作を繰り返す。
このように、本実施形態では、間隔設定は、３種類とされているが、４種類以上の任意の数としてもよく、更に異なる動作間隔で霜取りを続けて行うようにしてもよい。
【００２１】
冷却庫１１は、予め設定した時間で冷却庫１１の始動や停止をさせるためのタイマ装置５７を備えている（図５参照）。
タイマ装置５７は、時間をカウントするタイマ３６と、電源Ｅから制御回路２９に至る導電路の通断電を行う第１リレー５８とを備える。時間の設定は、タイマ装置５７の表面に設けられた操作部（図示しない）の操作により行うことができる。タイマ装置５７の場所は、例えば、リレーボックス３１に取付けることができる。なお、タイマ装置５７を冷却庫１１の外部に設けて冷却庫１１と電線を介して接続し、設定した時間で冷却庫１１の停止や始動を行うようにしてもよい。このタイマ装置５７は、種々の公知のタイマを用いることができる。
【００２２】
次に、冷却庫１１の電気的構成について説明する。
図５に示すように、冷却庫１１は、外部の電源Ｅから電力の供給を受ける制御回路２９と圧縮機２２と除霜ヒータ２６と結露防止ヒータ３９とが並列に接続されている。
制御回路２９には、接点としての第１遮断部５８Ｂが直列に接続されるとともに、庫内ファン２１が並列に接続されている。
圧縮機２２には、接点としての第２遮断部３７Ｂが直列に接続されているとともに、凝縮器ファン２４が並列に接続されている。
除霜ヒータ２６は、スイッチとしてのリレー５１に直列に接続されている。リレー５１は、いわゆるノーマリオープンであって、制御回路２９からの電流がリレー５１のコイル５１Ａに供給されることでリレー５１の接点部５１Ｂが閉じて除霜ヒータ２６が作動する。
なお、圧縮機２２には、電源Ｅから三相交流の２００［Ｖ］が供給され、制御回路２９，庫内ファン２１，除霜ヒータ２６及び結露防止ヒータ３９には、図示しない変換部で変換された単相交流の１００［Ｖ］が供給され、制御回路２９では更に図示しない整流回路で直流に変換された電流が供給されている。
【００２３】
タイマ３６は、冷却庫１１を停止する時間になると、第１コイル５８Ａの通電を遮断することで、第１遮断部５８Ｂの接点を開放して制御回路２９及び庫内ファン２１への電力の供給を遮断し、冷却庫１１を始動する時間になると、第１コイル５８Ａを通電することで、第１遮断部５８Ｂの接点を閉じて制御回路２９及び庫内ファン２１への電力の供給を行う。
第１遮断部５８Ｂは、リレーボックス３１内の回路に実装された第１リレー５８の内部に第１コイル５８Ａとともに備えられている。
【００２４】
制御回路２９への電力の供給が遮断されると、第２リレー３７における制御回路２９の分流電流が供給される第２コイル３７Ａへの通電が遮断されて第２遮断部３７Ｂの接点間が開放されることにより、電源Ｅから圧縮機２２及び凝縮器ファン２４への電力の供給が遮断される。
第２遮断部３７Ｂは、第２リレー３７の内部に第２コイル３７Ａとともに備えられている（図５では、第２コイル３７Ａが、第２遮断部３７Ｂとともに第２リレー３７内にあることを破線で示している）。
【００２５】
第２コイル３７Ａは、第１遮断部５８Ｂを介して制御回路２９に供給された電流が分流することで通電可能となっている。
この第２リレー３７は、いわゆるノーマリオープンであって、第２コイル３７Ａが通電していないときは接点が開放されており、第２コイル３７Ａが通電すると、接点を閉じる。
【００２６】
制御回路２９（制御基板）は、回路基板と、この回路基板に実装されたマイクロコンピュータ等の複数の電子部品とから構成され、図６に示すように、所定のプログラムを実行する制御部３０を有する。
制御部３０の入力側には、操作パネル２７の設定ボタン４６及び設定表示ボタン５０が接続されている。制御部３０の出力側には、圧縮機２２、凝縮器ファン２４、庫内ファン２１、除霜ヒータ２６、結露防止ヒータ３９及び表示部４０が接続されている。
【００２７】
制御部３０は、冷却装置制御部４１と、霜取制御部４２と、ヒータ制御部４３と、記憶部４４とを有する。
冷却装置制御部４１は、冷却装置４５の運転を制御する。通常の冷却運転中は、冷却装置制御部４１によって、圧縮機２２と凝縮器ファン２４と庫内ファン２１が制御され、設定温度近傍に庫内温度が維持される。
霜取制御部４２は、除霜ヒータ２６のオンオフを制御しており、霜取開始時刻となると、除霜ヒータ２６をオンにする。霜取制御部４２は、冷却器１８の除霜が終了した等の霜取終了条件が満たされると、除霜ヒータ２６をオフにする。
ヒータ制御部４３は、結露防止ヒータ３９のオンオフを制御する。
【００２８】
次に、冷却装置４５の動作について説明する。
タイマ装置５７により、毎日蓄冷剤４７が庫外に持ち出され冷却庫１１の運転を停止させる時刻を運転停止時刻として設定し、冷却庫１１の運転を開始する時刻を作動開始時刻として設定する。なお、作動開始時刻の前に除霜ヒータ２６による霜取りを行っておいてもよい。
蓄冷剤４７が庫外に出され、設定された運転停止時刻になると、タイマ３６は、第１遮断部５８Ｂの接点間を開放し、電源Ｅから制御回路２９及び庫内ファン２１への電力の供給を遮断する。また、第２遮断部３７Ｂの接点間が開放され、電源Ｅから圧縮機２２及び凝縮器ファン２４への電力の供給が遮断され、冷却装置４５が停止する。このとき、冷却庫１１への電力供給は行われているものの制御部３０以外が停止して冷却庫１１が停止状態（見かけ上電源Ｅが入っていないスタンバイ状態）となる。
【００２９】
そして、蓄冷剤４７が収納室１２内に収納されて、作動開始時刻になると、タイマ３６が第１遮断部５８Ｂの接点間を閉じて制御回路２９及び庫内ファン２１に電源Ｅから電力が供給される。また、第２遮断部３７Ｂの接点間が閉じて圧縮機２２及び凝縮器ファン２４に電源Ｅから電力が供給され、冷却装置４５が作動する（冷却庫１１が再始動する）。
【００３０】
次に、除霜ヒータ２６の動作間隔について図８，図９を参照して説明する。
図８に示すように、制御回路２９に電力が供給されると制御部３０の処理が開始され、間隔設定１にリセット（初期化）され（Ｓ１）、制御部３０によって作動開始時刻から時間Ｔ１のカウントが開始される（Ｓ２）。
そして、時間Ｔ１が間隔設定１のＸ＝２時間になると（Ｓ３で「Ｙ」）、霜取制御部４２によって除霜ヒータ２６がオンし（Ｓ４）、冷却器１８の霜取が行われる。また、表示部４０では霜取中であることがわかる表示がされる。この霜取りの際には冷却装置４５はオフされており、冷却器１８の霜取が終了すると、除霜ヒータ２６がオフされるとともに、冷却装置４５による冷却が再開する。
【００３１】
次に、制御部３０によってＳ４の霜取り開始から時間Ｔ２のカウントが開始され（Ｓ５）、時間Ｔ２が間隔設定２のＹ＝８時間になると（Ｓ６で「Ｙ」）、霜取制御部４２によって除霜ヒータ２６がオンにされ（Ｓ７）、冷却器１８の霜取が行われる。また、表示部４０では霜取中であることがわかる表示がされる。この霜取りの際には冷却装置４５はオフされており、冷却器１８の霜取が終了すると、除霜ヒータ２６がオフされるとともに、冷却装置４５による冷却が再開する。
【００３２】
次に、制御部３０によってＳ７の霜取り開始から時間Ｔ３のカウントが開始され（Ｓ８）、時間Ｔ３が間隔設定３のＺ＝１２時間になると（Ｓ９で「Ｙ」）、霜取制御部４２によって除霜ヒータ２６がオンにされ（Ｓ１０）、冷却器１８の霜取が行われる。また、表示部４０では霜取中であることがわかる表示がされる。また、動作間隔Ｘ，Ｙ，Ｚの設定が間隔設定１にリセットされる（Ｓ１）。そして、この霜取りの際には冷却装置４５はオフされており、冷却器１８の霜取が終了すると、除霜ヒータ２６がオフされるとともに、冷却装置４５による冷却が再開する。
この後は、上記と同様に、除霜ヒータ２６は、間隔設定１〜３の動作間隔で順番に動作を繰り返す。
ここで、タイマ装置５７の設定等により、上記処理の途中で制御回路２９への電力の供給が遮断されて冷却庫１１の運転が停止されると、その後に再び制御回路２９に電力が供給されて冷却庫１１が再始動した際には、上記処理が再スタートするようになっている。
具体的には、本実施形態では、１０時から１４時の間は、図７に示すように、毎日蓄冷剤４７が庫外に持ち出され運転を停止させる時刻であるため、通常は、時間Ｔ３が１２時間になる前にタイマ３６で設定された冷却庫１１の運転が停止される時間（１０時）になって冷却庫１１の運転が停止し、冷却庫１１が再始動すると、上記処理が再スタートし、間隔設定１にリセットされ（Ｓ１）、以後処理の動作が行われる（Ｓ２〜Ｓ１０）。
【００３３】
本実施形態によれば、以下の作用・効果を奏する。
冷却庫１１は、蓄冷剤４７（冷却対象物）を収納可能な収納室１２と、蓄冷剤４７の冷却を行う冷却装置４５と、蓄冷剤４７の冷却に関連する動作を間隔を空けて行う除霜ヒータ２６（冷却関連装置）と、除霜ヒータ２６が次に動作するまでの動作間隔として異なる複数の動作間隔Ｘ，Ｙ，Ｚを設定可能な操作パネル２７（設定手段）と、操作パネル２７に設定された複数の動作間隔Ｘ，Ｙ，Ｚで除霜ヒータ２６を複数回動作させる制御部３０（制御手段）と、を備える。
本実施形態によれば、除霜ヒータ２６が動作する動作間隔Ｘ，Ｙ，Ｚを異なる複数の動作間隔Ｘ，Ｙ，Ｚで設定できるため、短い動作間隔のみで除霜ヒータ２６を複数回動作させることによる冷却の不具合や、長い動作間隔のみで動作させ、手動による除霜ヒータ２６の追加の操作によって作業性が損なわれることを防止できる。よって、作業性を損なうことなく除霜ヒータ２６（冷却装置４５の冷却に関連する装置）の動作を適切な間隔で行うことが可能となる。
【００３４】
また、操作パネル２７には、複数の動作間隔Ｘ，Ｙ，Ｚの順番が設定されており、制御部３０は、操作パネル２７に設定されている順番で除霜ヒータ２６を動作させるとともに、冷却庫１１が停止状態となった後、再始動したときには、操作パネル２７に設定されている最初の順番の動作間隔Ｘから順番に除霜ヒータ２６を動作させる。
このようにすれば、冷却庫１１が停止状態となって再始動したときには動作間隔Ｘ，Ｙ，Ｚの誤差がリセットされるため、高精度の発振子を用いなくても、除霜ヒータ２６の動作間隔Ｘ，Ｙ，Ｚの精度を高めることができる。
また、毎日の蓄冷剤４７（冷却対象物）の配送時等に冷却庫１１が停止状態とされる場合に、除霜ヒータ２６（冷却関連装置）の動作時間の誤差をリセットすることができる。
さらに、制御部３０を有する制御回路２９と、冷却装置４５を停止させる時間を設定可能なタイマ３６と、電源から制御回路２９への通電を遮断する第１遮断部５８Ｂと、第１遮断部５８Ｂにより電源から制御回路２９への通電が遮断されると、電源から冷却装置４５への通電を遮断する第２遮断部３７Ｂとを備える。
これにより、比較的電流値の小さい制御回路２９の通電を遮断すれば、冷却装置４５への通電を遮断することができるため、冷却装置４５の通電を遮断するために比較的大きい開閉器を用いなくてもよい。
【００３５】
＜実施形態２＞
次に、本発明の実施形態２を図９，図１０を参照しつつ説明する。実施形態２は、除霜ヒータ２６が動作する３つ（複数）の動作間隔Ｘ，Ｙ，Ｚを合わせて２４時間となるようにしたものである。その他の構成は、実施形態１と同様であり、実施形態１と同一の構成は、説明を省略する。なお、実施形態２では、実施形態１のタイマ装置５７は備えていない構成としてもよい。
【００３６】
本実施形態では、除霜ヒータ２６（冷却関連装置）が次に動作するまでの動作間隔として異なる３つの動作間隔Ｘ，Ｙ，Ｚを３つのパラメータとして設定可能となっており、操作パネル２７で動作間隔Ｘ，Ｙ，Ｚが間隔設定１〜３と対応付けて設定されると（間隔設定１＝Ｘ時間，間隔設定２＝Ｙ時間，間隔設定３＝Ｚ時間）、動作間隔Ｘ，Ｙ，Ｚが各間隔設定１〜３に対応付けられて記憶部４４に記憶される。
運転開始後（運転再開後）、最初の動作間隔は、Ｘ時間であり、２回目の動作間隔Ｙ時間であり、３回目の動作間隔は、Ｚ時間である。
ここで、実施形態２では、Ｘ＋Ｙ＋Ｚ＝２４［Ｈ］となっている。
具体的には、例えば、間隔設定１＝２時間，間隔設定２＝８時間，間隔設定３＝１４時間となっている。
動作間隔Ｘ，Ｙ，Ｚの設定方法は、実施形態１と同様である。
【００３７】
次に、除霜ヒータ２６の動作間隔について説明する。
図１０に示すように、制御部３０の処理が開始されると、制御部３０は、間隔設定１として、作動開始時刻から時間Ｔ１のカウントを開始する（Ｓ２１）。
そして、時間Ｔ１が間隔設定１のＸ＝２時間になると（Ｓ２２で「Ｙ」）、霜取制御部４２によって除霜ヒータ２６がオンにされ（Ｓ２３）、冷却器１８の霜取が行われる。また、表示部４０では霜取中であることがわかる表示がされる。この霜取りの際には冷却装置４５はオフされており、冷却器１８の霜取が終了すると、除霜ヒータ２６がオフされるとともに、冷却装置４５による冷却が再開する。
【００３８】
次に、制御部３０によってＳ２４の霜取り開始から時間Ｔ２のカウントが開始され（Ｓ２４）、時間Ｔ２が間隔設定２のＹ＝８時間になると（Ｓ２５で「Ｙ」）、霜取制御部４２によって除霜ヒータ２６がオンにされ（Ｓ２６）、冷却器１８の霜取が行われる。また、表示部４０では霜取中であることがわかる表示がされる。この霜取りの際には冷却装置４５はオフされており、冷却器１８の霜取が終了すると、除霜ヒータ２６がオフされるとともに、冷却装置４５による冷却が再開する。
【００３９】
次に、制御部３０によってＳ２６の霜取り開始から時間Ｔ３のカウントが開始され（Ｓ２７）、時間Ｔ３が間隔設定３のＺ＝１４時間になると（Ｓ２８で「Ｙ」）、霜取制御部４２によって除霜ヒータ２６がオンにされ（Ｓ２９）、間隔設定１とされて、制御部３０によってＳ３０の霜取り開始から時間Ｔ１のカウントが開始される（Ｓ２１）。
ここで、１０時から１４時の間は、毎日蓄冷剤４７が庫外に持ち出され運転を停止させる時刻であるため、冷却庫１１の運転が停止している。
このように、実施形態２では、冷却庫１１の運転が停止した場合も動作間隔Ｘ，Ｙ，Ｚのカウント（Ｔ１〜Ｔ３）は、中断せずに続けるものである。このようにしても、間隔設定３（Ｚ＝１４時間）を長い時間に設定すれば、蓄冷剤４７が庫外に持ち出され冷却庫１１の運転を停止させる時間帯については、霜取りを行わないようにすることができる。
実施形態２によれば、複数の動作間隔Ｘ，Ｙ，Ｚを組み合わせると２４時間となっているため、タイマ装置３５を用いなくても決まった時間に除霜ヒータ２６（冷却関連装置）を動作させることが可能になる。
【００４０】
＜実施形態３＞
次に、本発明の実施形態３を図１１を参照しつつ説明する。実施形態３は、実施形態２において除霜ヒータ２６が次に動作するまでの動作間隔としての３つのパラメータのうち、２つを合わせて２４時間とし、残りの一つの時間を０時間としたものである。その他の構成は、実施形態２と同一であるため、説明を省略する。
間隔設定１＝Ｘ時間，間隔設定２＝Ｙ時間，間隔設定３＝Ｚ時間の３つのパラメータを設定する。
運転開始後（運転再開後）、最初の動作間隔は、Ｘ時間であり、２回目の動作間隔はＹ時間であり、３回目の動作間隔はＺ時間であり、Ｘ＋Ｙ＋Ｚ＝２４［Ｈ］となっている。
具体的な値は、例えば、図１１に示すように、間隔設定１＝８時間，間隔設定２＝１６時間，間隔設定３＝０時間とされる。このようにすれば、３つのパラメータを用いて除霜ヒータ２６をパラメータの数よりも少ない数で繰り返し動作させることができる。
【００４１】
＜他の実施形態＞
本発明は上記記述及び図面によって説明した実施形態に限定されるものではなく、例えば次のような実施形態も本発明の技術的範囲に含まれる。
（１）上記実施形態では、冷却庫１１は、蓄冷剤凍結庫であるとしたが、これに限られず、他の冷却庫に本発明を適用してもよい。例えば、不要時に運転を停止させた期間に庫内温度が上昇しても問題とならない他の冷却庫や、運転停止中に冷却庫内が空になるような保存庫、空調機器に本発明を適用することができる。
（２）タイマ装置３５は、毎日の決まった時間に冷却庫１１の作動や停止をさせる構成としたが、これに限られず、例えば、いわゆるウイークリータイマのように一週間の内の特定の曜日にのみ冷却庫１１の動作や停止を行うようにしてもよい。
（３）冷却関連装置が次に動作するまでの時間のカウントは、その都度０からスタートするものでなくてもよい。例えば、時刻を検出して、その時刻から冷却関連装置が次に動作するまでの経過時間を算出して、除霜ヒータ２６を複数の動作間隔で動作させるようにしてもよい。
（４）冷却関連装置としては、上記実施形態の除霜ヒータに限られない。例えば、ショーケースなどの照明（例えば、営業時間のみ自動で点灯させる等）や、庫内を除菌するＵＶランプやオゾン発生装置（例えば、人がいない（扉を開閉しない）ときなどに庫内を除菌する等）にも冷却装置に関連する動作を間隔を空けて行う冷却関連装置として本発明を適用することが可能である。
【符号の説明】
【００４２】
１０...冷却庫  １２...収納室１２  １８...冷却器  ２１...庫内ファン  ２２...圧縮機  ２４...凝縮器ファン  ２６...除霜ヒータ（冷却関連装置）  ２７...操作パネル（設定手段）  ２９...制御回路  ３０...制御部（制御手段）  ５８...第１リレー  ５８Ｂ...第１遮断部  ３５...タイマ装置  ３６...タイマ  ３７...第２リレー  ３７Ｂ...第２遮断部  ４５...冷却装置  ４７... 蓄冷剤（冷却対象物）  Ｅ...電源
【図１】
2014202374.tif 000003
【図２】
2014202374.tif 000004
【図３】
2014202374.tif 000005
【図４】
2014202374.tif 000006
【図５】
2014202374.tif 000007
【図６】
2014202374.tif 000008
【図７】
2014202374.tif 000009
【図８】
2014202374.tif 000010
【図９】
2014202374.tif 000011
【図１０】
2014202374.tif 000012
【図１１】
2014202374.tif 000013